(57)【要約】【課題】  より効率よく清掃できる清掃装置を提供する。【解決手段】  清掃装置は、被清掃部を清掃するノズルと、前記ノズルが着脱可能に接続されるノズル接続部と、前記ノズル接続部に設けられ、前記被清掃部に光を照射する光源と、前記ノズルに応じた所定の点灯パターンで前記光源を点灯させる点灯パターン制御手段と、を含む。【選択図】  図２
2020080898.tif 000002
【特許請求の範囲】
【請求項１】
被清掃部を清掃するノズルと、
前記ノズルが着脱可能に接続されるノズル接続部と、
前記ノズル接続部に設けられ、前記被清掃部に光を照射する光源と、
前記ノズルに応じた所定の点灯パターンで前記光源を点灯させる点灯パターン制御手段と、
を含む清掃装置。
【請求項２】
前記点灯パターン制御手段は、前記光源から照射される前記光の色、方向、強度、照射範囲の少なくとも１つを制御する、請求項１に記載の清掃装置。
【請求項３】
前記光源を複数有し、前記点灯パターン制御手段は、所定の位置の前記光源を点灯させる、請求項１または２に記載の清掃装置。
【請求項４】
前記点灯パターン制御手段は、所定の前記光源に通電するスイッチと、少なくとも１つの所定の前記スイッチを通電させるスイッチパターンと、を含み、前記スイッチパターンにより通電された前記スイッチに対応する前記光源を点灯させる、前記請求項３に記載の清掃装置。
【請求項５】
前記スイッチパターンは、前記ノズル接続部に設けられ、所定の前記スイッチに対応する凹部と、前記ノズルに設けられ、少なくとも１つの所定の前記凹部と嵌合する突起部と、を含み、
前記突起部と嵌合した前記凹部に対応する前記スイッチを通電させる、請求項４に記載の清掃装置。
【請求項６】
前記ノズル接続部は、前記清掃装置本体から延長する延長管に設けられている、請求項１〜５のいずれか１項に記載の清掃装置。
【請求項７】
前記ノズル接続部は、前記清掃装置本体から延長され、使用者が把持する吸込口を有する把持部に設けられている、請求項１〜６のいずれか１項に記載の清掃装置。
【発明の詳細な説明】
【技術分野】
【０００１】
本発明は、清掃装置に関する。
【背景技術】
【０００２】
清掃装置としては、先端のノズル等を用いて被清掃面を清掃する、例えば、掃除機、高圧洗浄機、スチーム清浄機等がある。例えば、掃除機は、掃除機本体にホース、延長管等を介して接続されたノズルを有する。使用者は、掃除する場所等に応じて、ノズルを形状や仕様が異なった他のノズル（アタッチメントノズル）に交換して掃除する。
【０００３】
このような掃除機としては、例えば、特許文献１に、ノズルが接続される把持部に、清掃される被清掃面を照らす照明を備える掃除機が開示されている。
【先行技術文献】
【特許文献】
【０００４】
【特許文献１】特開２０１８−６８４１７号公報
【発明の概要】
【発明が解決しようとする課題】
【０００５】
しかしながら、特許文献１の掃除機では、ノズルとして所定のブラシアタッチメントを用いた場合を対象としており、異なる種類のノズル（アタッチメントノズル）によっては、好適に被清掃面を照らすことができず、効率良く掃除することができない場合があった。そこで、本発明の一形態は、より効率よく掃除することができる清掃装置を提供することを目的とする。
【課題を解決するための手段】
【０００６】
本発明の一形態の清掃装置は、被清掃部を清掃するノズルと、前記ノズルが着脱可能に接続されるノズル接続部と、前記ノズル接続部に設けられ、前記被清掃部に光を照射する光源と、前記ノズルに応じた所定の点灯パターンで前記光源を点灯させる点灯パターン制御手段と、を含む。
【発明の効果】
【０００７】
本発明の一形態によれば、より効率よく清掃できる清掃装置を提供することができる。
【図面の簡単な説明】
【０００８】
【図１】第１の実施形態にかかる掃除機の一例の斜視図である。
【図２】図１の掃除機において、各部を分離した場合の側面図である。
【図３】図１の延長管におけるノズル接続部を説明するための図である。
【図４】アタッチメントノズルの一例を説明するための図である。
【図５】別のアタッチメントノズルの一例を説明するための図である。
【図６】さらに別のアタッチメントノズルの一例を説明するための図である。
【図７】回路の一例を説明するための図である。
【図８】別の回路一例を説明するための図である。
【図９】キャニスター型の掃除機の一例の斜視図である。
【発明を実施するための形態】
【０００９】
以下、本発明の実施形態について、図面を参照しつつ説明する。なお、図面については、同一又は同等の要素には同一の符号を付し、重複する説明は省略する。
【００１０】
（第１の実施形態）
図１は、本実施形態にかかる清掃装置の一例であるスティック型電気掃除機の斜視図であり、図２は同掃除機において、ノズル、延長管、掃除機本体を分離した際の斜視図である。
【００１１】
図１、図２に示すように、本実施形態の掃除機（清掃装置）１００は、ノズル１１０と、延長管１２０と、掃除機本体（清掃装置本体）１３０と、を備える。
【００１２】
ノズル１１０は、掃除の際に床面（被清掃面）と対峙させ、塵埃を吸込む吸込口（不図示）を有し、延長管１２０に着脱可能に接続される筒状のノズル側接続部１１１を有する。
【００１３】
延長管１２０は、管本体１２１と、ノズル接続部１２２と、本体接続部１２３と、を有する。ノズル接続部１２２は、管本体１２１の一端部に設けられ、ノズル１１０と着脱可能に接続される。より詳細には、ノズル接続部１２２は、ノズル１１０のノズル側接続部１１１と着脱可能に接続される。本体接続部１２３は、管本体１２１のノズル接続部１２２とは反対側の他端部に設けられ、掃除機本体１３０と着脱可能に接続される。
【００１４】
掃除機本体１３０は、集塵室１３１と、送風機１３２と、ハンドル（把持部）１３３と、延長管１２０の本体接続部１２３と着脱可能に接続される本体側接続部１３４と、を備える。
【００１５】
送風機１３２は、例えば、使用者がハンドル１３３を握って掃除する際に、ノズル１１０から延長管１２０を介して、塵埃等を空気と共に、集塵室１３１に吸引するようになっている。集塵室１３１は、吸引された塵埃等を貯蔵するようになっている。また、使用者は集塵室１３１に集められた塵埃を、集塵室１３１を取り外すことにより廃棄することができる。
【００１６】
図１に示す掃除機１００において、使用者は、清掃する被清掃面（被清掃部）に応じて、延長管１２０のノズル接続部１２２に接続されていたノズル１１０を、任意のアタッチメントノズルに交換して、清掃する。
【００１７】
図３は、延長管１２０のノズル接続部１２２を説明するための図である。図３（ａ）はノズル接続部１２２の図２におけるIIIａ−IIIａ線矢視断面図であり、図３（ｂ）は図３（ａ）におけるIIIｂ−IIIｂ線矢視断面図である。なお、図面において、矢印Ｘの方向を上方向とする。
【００１８】
図３に示すように、ノズル接続部１２２は、下方および上方に照明部３００ａ・３００ｂを有する。下方に設けられた照明部３００ａは、光源としてのＬＥＤ（Light Emitting Diode）３０１ａ・３０１ｄ、回路基板３０２ａ、スイッチ３０３ａ・３０３ｄ、照明カバー３０４ａ、散乱板３０５ａ、スイッチ用凹部３０６ａ・３０６ｄ、位置決め用凹部３０７を含む。なお、図３（ｂ）において、ＬＥＤ３０１ａ・３０１ｄを、その位置関係を説明するために、便宜上点線で示している。
【００１９】
ＬＥＤ３０１ａ・３０１ｄは、回路基板３０２ａに組み込まれた回路に接続されており、それぞれ対応するスイッチ３０３ａ・３０３ｄがＯＮになることにより通電され、点灯する。このＬＥＤ３０１ａ・３０１ｄが点灯した際の光は、散乱板３０５ａにより散乱され、被清掃面に照射される。
【００２０】
照明カバー３０４ａは、ＬＥＤ３０１ａ・３０１ｄ、回路基板３０２ａ、スイッチ３０３ａ・３０３ｄ等を覆い、外部からの衝撃等から各部を保護する。なお、照明部３００ｂについては、付されている符号が照明部３００ａと異なるだけであり、照明部３００ａと実質的に同様の構成であるため、説明を省略する。
【００２１】
また、本実施形態における例では、ノズル接続部１２２に接続されるアタッチメントノズル等のノズルを延長管１２０側から見た場合に、ＬＥＤ３０１ａが左下側、ＬＥＤ３０１ｂが左上側、ＬＥＤ３０１ｃが右上側、ＬＥＤ３０１ｄが右下側のそれぞれの被清掃面に光を照射するように配置されている。なお、これらＬＥＤの配置および数は、特に限定されるものではなく、アタッチメントノズルや掃除機の種類等に応じて適宜変更が可能である。
【００２２】
スイッチ用凹部３０６ａ・３０６ｂ・３０６ｃ・３０６ｄは、後述のアタッチメントノズルに形成された所定のスイッチ用突起部と対応する位置に設けられ、当該スイッチ用突起部と嵌合するようになっている。また、スイッチ用凹部３０６ａ・３０６ｂ・３０６ｃ・３０６ｄは、それぞれスイッチ３０３ａ・３０３ｂ・３０３ｃ・３０３ｄに対応しており、アタッチメントノズルが接続される際に、アタッチメントノズルに形成された所定のスイッチ用突起部が嵌合されることにより、対応するスイッチがＯＮになるようになっている。つまり、アタッチメントノズルに形成されたスイッチ用突起部の位置および／または数で規定される所定のパターンにより、スイッチ用突起部に対応する所定のＬＥＤが点灯されるようになっている。
【００２３】
位置決め用凹部３０７は、後述のノズル側接続部４０２に設けられた位置決め用突起部４０３が嵌合する部位である。この位置決め用凹部３０７と位置決め用突起部４０３とが嵌合することにより、アタッチメントノズルを所定の向きに設定し、スイッチ用突起部を所定のスイッチ用凹部に嵌合させることができる。
【００２４】
図４は、本実施形態に係るアタッチメントノズルの一例である隙間掃除用アタッチメントノズル４００を説明するための図である。図４（ａ）は、隙間掃除用アタッチメントノズル４００の側面図であり、（ｂ）は図４（ａ）のIVｂ−IVｂ線矢視断面図である。
【００２５】
図４に示すように、隙間掃除用アタッチメントノズル４００は、吸気口４０１、ノズル側接続部４０２を有する。この隙間掃除用アタッチメントノズル４００は、狭い隙間に差し込んで、掃除するためのノズルである。
【００２６】
吸気口４０１は、被清掃面を清掃するための開口であり、ノズル側接続部４０２側から左側の先端に向かって幅が細くなっている。そして、この吸気口４０１の下方側から、被清掃面の塵埃を吸引することにより清掃する。
【００２７】
ノズル側接続部４０２は、位置決め用突起部４０３、スイッチ用突起部４０４ａを有する。
【００２８】
位置決め用突起部４０３は、上記位置決め用凹部３０７に対応する位置に設けられ、位置決め用凹部３０７と嵌合するようになっている。
【００２９】
スイッチ用突起部４０４ａは、スイッチ用凹部３０６ａに対応する位置に設けられ、スイッチ用凹部３０６ａと嵌合するようになっている。
【００３０】
隙間掃除用アタッチメントノズル４００を、上記ノズル接続部１２２に接続する場合、位置決め用突起部４０３と位置決め用凹部３０７とが嵌合するように接続される。この位置決め用突起部４０３と位置決め用凹部３０７とを嵌合させることにより、隙間掃除用アタッチメントノズル４００をノズル接続部１２２に対して所定の位置に接続することができ、スイッチ用突起部４０４ａが所定のスイッチ用凹部３０６ａに嵌合される。
【００３１】
そして、スイッチ用突起部４０４ａがスイッチ用凹部３０６ａに嵌合されることにより、スイッチ用凹部３０６ａに対応するスイッチ３０３ａがＯＮとなり、スイッチ３０３ａに対応するＬＥＤ３０１ａに通電可能となる。さらに、上記回路基板の回路に電源が投入されることによりＬＥＤ３０１ａが点灯する。これにより、ノズル側接続部４０２から隙間掃除用アタッチメントノズル４００の先端方向を見た場合に、使用者が隙間掃除用アタッチメントノズルの左下側を見やすくなり、被清掃面を見ながら効率よく掃除することができる。なお、隙間掃除用アタッチメントノズル４００には、その他のスイッチ用凹部３０６ｂ・３０６ｃ・３０６ｄに対応するスイッチ用突起部が設けられていないため、ＬＥＤ３０１ａのみが点灯する。そのため、ＬＥＤ３０１ａ・３０１ｂ・３０１ｃ・３０１ｄの全てを点灯することがなく、節電を図ることができる。
【００３２】
また、上記アタッチメントノズルの変形例としては、隙間掃除用アタッチメントノズル４００以外にも、その掃除する対象物等により被清掃面が異なる、例えば、図５に示すホウキ型アタッチメントノズル５００、図６に示すエアコン掃除用アタッチメントノズル６００等が挙げられる。
【００３３】
図５（ａ）はホウキ型アタッチメントノズルの外観斜視図であり、図５（ｂ）は図５（ａ）におけるVｂ−Vｂ線矢視断面図である。
【００３４】
図５に示すホウキ型アタッチメントノズル５００は、例えば、被清掃面としてアルミサッシのレール等を掃除するためのホウキ部５０１と、当該ホウキ部５０１の根本に設けられた吸込口５０２と、ノズル側接続部４０２と、を有する。図５（ｂ）に示すように、ホウキ型アタッチメントノズル５００のノズル側接続部４０２には、延長管１２０のノズル接続部１２２に設けられたスイッチ用凹部３０６ａ・３０６ｃに対応する位置に、スイッチ用突起部４０４ａ・４０４ｃが設けられている。
【００３５】
このホウキ型アタッチメントノズル５００は、例えば、被清掃面の塵埃をホウキ部５０１で掃きとり、この掃きとられた塵埃を吸込口５０２から吸引することにより清掃する。そのため、ホウキ型アタッチメントノズル５００を延長管１２０のノズル接続部１２２に接続して使用する際には、スイッチ用突起部４０４ａ・４０４ｃにより、ＬＥＤ３０１ａ・３０１ｃが点灯するため、被清掃面のより広い範囲に光を照射することができ、使用者の掃除の効率を向上させることができる。なお、このように、広い範囲に光を照射する場合には、ＬＥＤの発光強度を上げる、ＬＥＤの光の照射方向を変える等して、被清掃面における塵埃をより確認しやすく調整するように構成してもよい。
【００３６】
なお、上記の隙間掃除用アタッチメントノズル４００およびホウキ型アタッチメントノズル５００は、使用者が当該アタッチメントノズルの左側から見た場合に被清掃面を見やすくした、右利きの使用者に合わせた例であるが、左利きの使用者に合わせて点灯させるＬＥＤの左右位置を入れ替えるように構成してもよい。
【００３７】
図６に示すエアコン掃除用アタッチメントノズル６００は、例えば、被清掃面としてエアコンの前面の吸込口を掃除するためのアタッチメントノズルである。エアコン掃除用アタッチメントノズル６００は、ホウキ部６０１、吸込口６０２、第１屈曲部６０３、第２屈曲部６０４、ノズル側接続部４０２、を有する。使用者は、エアコン掃除用アタッチメントノズル６００を使用する際に、第１屈曲部６０３および第２屈曲部６０４における曲げる角度を調節して、ブラシ部６０１がエアコンの前面の吸込口に当接するように調節する。
【００３８】
エアコンは、通常、例えば居室の壁等の上方に設置されている。したがって、使用者は、エアコンの下方から上を向いて掃除する。そのため、図６（ｂ）に示すように、エアコン掃除用アタッチメントノズル６００のノズル側接続部４０２には、延長管１２０のノズル接続部１２２におけるスイッチ用凹部３０６ａ・３０６ｄに対応する、スイッチ用突起部４０４ａ・４０４ｄを設けられている。さらに、エアコン掃除用アタッチメントノズル６００においては、使用者がエアコンを下から見た際に、上記隙間掃除用アタッチメントノズルよりも広い範囲に光を照射したほうが、掃除しやすいため、より広範囲にＬＥＤの光を照射するように構成してもよい。なお、エアコン掃除用アタッチメントノズルは、棚の上を清掃する場合にも使用できるため、高所掃除用アタッチメントノズルともいえる。
【００３９】
また、上記では、アタッチメントノズルの形状や使用方法等に応じて、設けるスイッチ用突起部の位置が予め固定された例を挙げたが、例えば、スイッチ用突起部を着脱可能に構成し、使用者がアタッチメントノズルの使用方法に応じて位置を変更できるように構成したり、使用者が着脱可能な所定のノズル接続端部を選択できるように構成したりしてもよい。
【００４０】
図７、図８は、それぞれ、上記回路基板３０２ａ・３０２ｂに組み込まれる回路の例を示す図である。回路はこれらに限定されるものではなく、延長管１２０や各アタッチメントノズル等に応じて適宜設定されればよい。
【００４１】
図７に示す回路７００は、各ＬＥＤ３０１ａ・３０１ｂ・３０１ｃ・３０１ｄおよび各ＬＥＤに対応する各スイッチ３０３ａ・３０３ｂ・３０３ｃ・３０３ｄに対して、抵抗Ｒ１が直列に接続された構成となっている。これにより、各ＬＥＤの発光強度を等しく調節することができる。なお、この回路７００に供給される電源は、ダイオードＤ１およびキャパシタＣ１により整流・平滑化される。
【００４２】
図８に示す回路８００は、図７に示す回路において、各スイッチ３０３ａ・３０３ｂ・３０３ｃ・３０３ｄおよび各ＬＥＤ３０１ａ・３０１ｂ・３０１ｃ・３０１ｄに対して、それぞれに対応する抵抗Ｒ１・Ｒ２・Ｒ３・Ｒ４を有する。これにより、各ＬＥＤ３０１ａ・３０１ｂ・３０１ｃ・３０１ｄの発光強度を対応する各抵抗Ｒ１・Ｒ２・Ｒ３・Ｒ４に応じて異ならせることができる。なお、この抵抗Ｒ１・Ｒ２・Ｒ３・Ｒ４を任意に調節し、各ＬＥＤ３０１ａ・３０１ｂ・３０１ｃ・３０１ｄの発光強度を任意に変えるように構成してもよい。
【００４３】
また、これらの回路７００・８００に接続される電源は、例えば、掃除機本体の送風機や吸込口体に組み込まれたモータ（不図示）の動作に連動して供給するように構成してもよいし、これら回路のみに供給するように構成してもよい。また、例えば、上記モータを動作させる際に使用者が押す、押しボタンスイッチが押された際に回路７００・８００に電源を供給するように構成してもよい。
【００４４】
本実施形態によれば、ノズル接続部１２２に接続されるアタッチメントノズルに応じて、ＬＥＤの照明パターンが変更される。これにより、使用者が清掃する際に好適な照明を提供することができ、例えば隙間等を、より効率よく清掃することができる。
【００４５】
また、ノズル接続部１２２およびノズル側接続部４０２におけるスイッチにより機械的に所定のＬＥＤを点灯させる等の点灯パターンを制御するため、例えば、使用者がボタン操作を行う等により点灯パターンを変更する必要がなく、使用者の利便性を向上させられる。さらに、ボタン操作による点灯パターンの変更指示を行うマイクロコンピュータ等からの信号を送る必要はなく、例えば延長管や延長ホース等を介して信号を送るための芯線を増設する必要はない。なお、本実施形態においては、ノズル接続部１２２における凹部およびスイッチと、ノズル側接続部４０２における突起部との組み合わせが、光源としてのＬＥＤの点灯パターンを制御する点灯パターン制御手段に相当する。また、ノズル接続部に接続されるアタッチメントノズルに応じて、上記ＬＥＤの点灯パターンが例えばマイクロコンピュータ等により制御されるように構成してもよい。
【００４６】
なお、本実施形態においては、所定のＬＥＤを点灯させる点灯パターンについて説明したが、ＬＥＤの点灯パターンは、これに限らない。この点灯パターンは、例えば、ＬＥＤの発光強度の変化、ＬＥＤの色の変化、ＬＥＤからの光を照射する方向の変化、照射される光の照射範囲の変化、ＬＥＤの点滅等であってもよい。
【００４７】
例えば、点灯パターン制御手段は、ノズル接続部１２２に接続されたアタッチメントノズルに応じて、このアタッチメントノズルに設定された所定の点灯パターンで光源を点灯させるように構成してもよい。また、点灯パターンが光の色を変化である場合には、例えばカラーフィルタを設け、点灯パターン制御手段が、カラーフィルタの色を変更することにより色を変えるように構成してもよい。さらに、点灯パターンが光の方向の変化である場合には、例えば、点灯パターン制御手段が、光源自体の向きを変えるモータ等の駆動装置により光の方向を変えるように構成しても、光源からの光を反射させるミラーを設け、このミラーの向きをモータ等の駆動装置で光の方向を変えるように構成してもよい。さらにまた、点灯パターンが照射範囲の変化である場合には、例えば、レンズ等を設け、点灯パターン制御手段が、レンズの種類、レンズと光源との距離等を変化させることにより照射範囲を変化させるように構成してもよい。
【００４８】
また、本実施形態においては、延長管１２０にノズル接続部１２２が設けられた形態について説明したが、これに限らず、例えば、本体側接続部１３４にアタッチメントノズルが接続された形態であってもよい。この場合、本体側接続部１３４がノズル接続部１２２に置き換えられた形態となる。
【００４９】
さらに、本実施形態では、いわゆるスティック型の掃除機を例に挙げて説明したが、掃除機の種類としてはハンディ型、キャニスター型等、掃除機の種類は特に限定されるものではない。例えば、図９に示すように、掃除機装置本体１３０からホース９０１によりハンドル１３３が延長された、いわゆるキャニスター型であってもよい。なお、図９では、ホース９０の一部を省略している。さらに、上記掃除機は、清掃装置の例示であって、清掃装置としては、例えば、高圧洗浄機、スチーム洗浄機等の被清掃面の清掃をするために清掃装置本体から延長された着脱式のノズルを使用する清掃装置も含む。
【００５０】
（まとめ）
本発明の清掃装置は、被清掃部を清掃するノズルと、前記ノズルが着脱可能に接続されるノズル接続部と、前記ノズル接続部に設けられ、前記被清掃部に光を照射する光源と、前記ノズルに応じた所定の点灯パターンで前記光源を点灯させる点灯パターン制御手段と、を含む。
【００５１】
この構成によれば、例えば、ノズルであるアタッチメントノズルの形状、用途に応じて、光源であるＬＥＤの点灯パターンが変更される。したがって、ノズルに応じて、被清掃部を好適に明るくする照明が提供され、使用者が被清掃部を確認しながら効率よく清掃することができる。
【００５２】
本発明の清掃装置は、次のように構成されていてもよく、それらが適宜組み合わされていてもよい。
【００５３】
（１）前記点灯パターン制御手段は、前記光源から照射される前記光の色、方向、強度、照射範囲の少なくとも１つを制御するように構成してもよい。これにより、ノズルに応じて使用者に好適な点灯パターンを提供することができる。
【００５４】
（２）前記光源を複数有し、前記点灯パターン制御手段は、所定の位置の前記光源を点灯させてもよい。これにより、使用者にさらに好適な点灯パターンを提供することができる。
【００５５】
（３）前記点灯パターン制御手段は、所定の前記光源に通電するスイッチと、少なくとも１つの所定の前記スイッチを通電させるスイッチパターンと、を含み、前記スイッチパターンにより通電された前記スイッチに対応する前記光源を点灯させるように構成してもよい。これにより、機械的に点灯パターンを制御することができるため、例えば、使用者がボタン等により点灯パターンを操作する必要はなく、利便性を向上させることができる。
【００５６】
（４）前記スイッチパターンは、前記ノズル接続部に設けられ、所定の前記スイッチに対応する凹部と、前記ノズルに設けられ、少なくとも１つの所定の前記凹部と嵌合する突起部と、を含み、前記突起部と嵌合した前記凹部に対応する前記スイッチを通電させるように構成してもよい。これにより、ノズル接続部とノズルとを接続するだけで、光源の点灯パターンが決まるため、使用者の利便性を向上させることができる。
【００５７】
（５）前記ノズル接続部は、前記清掃装置本体から延長する延長管に設けてもよい。これにより、使用者のアタッチメントノズルの使用形態に合わせて好適な点灯パターンを提供することができる。
【００５８】
（６）前記ノズル接続部は、前記清掃装置本体から延長され、使用者が把持する吸込口を有する把持部に設けてもよい。これにより、使用者のアタッチメントノズルの使用形態に合わせて好適な点灯パターンを提供することができる。
【００５９】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００６０】
１００  掃除機、１１０  ノズル、１１１  ノズル側接続部、１２０  延長管、１２１  管本体、１２２  ノズル接続部、１２３  本体接続部、１３０  掃除機本体、１３１  集塵室、１３２  送風機、１３３  ハンドル、１３４  本体側接続部、３００ａ・３００ｂ  照明部、３０１ａ・３０１ｂ・３０１ｃ・３０１ｄ  ＬＥＤ、３０２ａ・３０２ｂ  回路基板、３０３ａ・３０３ｂ・３０３ｃ・３０３ｄ  スイッチ、３０４ａ・３０４ｂ  照明カバー、３０５ａ・３０５ｂ  散乱板、３０６ａ・３０６ｂ・３０６ｃ・３０６ｄ  スイッチ用凹部、３０７  位置決め用凹部、４００  隙間掃除用アタッチメントノズル、４０１  吸気口、４０２  ノズル側接続部、４０３  位置決め用突起部、４０４ａ・４０４ｂ・４０４ｃ・４０４ｄ  スイッチ用突起部、５００  ホウキ型アタッチメントノズル、５０１  ホウキ部、５０２  吸込口、６００  エアコン掃除用アタッチメントノズル、６０１  ホウキ部、６０１  ブラシ部、６０２  吸込口、６０３  第１屈曲部、６０４  第２屈曲部、７００・８００  回路、９０１  ホース
【図１】
2020080898.tif 000003
【図２】
2020080898.tif 000004
【図３】
2020080898.tif 000005
【図４】
2020080898.tif 000006
【図５】
2020080898.tif 000007
【図６】
2020080898.tif 000008
【図７】
2020080898.tif 000009
【図８】
2020080898.tif 000010
【図９】
2020080898.tif 000011